(57)【要約】【課題】理髪用鋏の刃体を回動可能に軸着するボルトに捩込んで止着され、分割片を束ねて一体的に連結される割りナットにおいて、Cリングによる連結が容易に行えるようにすると共に、刃体から突出するナットの突出量を少なくして外観を向上させ、かつ頭髪がナットにまとい付いて引掛かりにくヽする。【解決手段】割りナット２９は、断面が凸形をなして小径部２９aにCリング３１を装着し、ナット２９の高さを低くすると共に、一対の刃体２４、２５のうちの一方２５に凹溝２７を形成し、ベアリング２６及び刃体２５を軸支して凹溝２７内に突出するボルト先端部に割りナット２９を捩込んで凹溝２７内に装着する。装着した状態で割りナット２９は、刃体２５と面一をなし、刃体２５より突出しない。【選択図】図５
2005319072.tif 000002
【特許請求の範囲】
【請求項１】
指環部を備えた一対の刃体を平坦部を備えた基部で基部同士をボルトにより回動自在に軸着し、その先端にワッシャーを介し、或いは介さないでナットを捩込んで締着してなる理髪用鋏の上記ナットにおいて、複数に分割され、環状又はC形状のリングを強制嵌合することによって一体的に束ねて連結される割りナットであって、上記刃体の基部側が小径の段付き状をなして、上記リングが強制嵌合されることを特徴とする理髪用鋏。
【請求項２】
上記ナットをボルト先端部に捩込んで締着したときリングが上記刃体の基部に直接或いはワッシャーを介して圧着されることを特徴とする請求項１記載の理髪用鋏。
【請求項３】
リングの嵌合する小径部に断面が円弧をなす周溝が形成されることを特徴とする請求項１又は２記載の理髪用鋏。
【請求項４】
一対の刃体のうちの一方には、ナットが嵌合する凹溝が形成されることを特徴とする請求項１ないし３のいずれかの請求項に記載の理髪用鋏。
【発明の詳細な説明】
【技術分野】
【０００１】
本発明は、理容院や美容院で用いられる理髪用鋏において、一対の刃体を回動自在に軸着するのに用いるナットに関する。
【背景技術】
【０００２】
理髪用鋏は一般に図１に示すように、指環部１、２を備えた一対の刃体３、４を平坦部５、６を備えた基部において枢軸となるボルト７により回動自在に軸着した構成をなしており、指環部１、２に挿入した指先操作で刃体３、４を開閉操作することにより頭髪等の切断を行うようになっている。
【０００３】
一対の刃体３、４を軸着する上述のボルト７には、先端部にナットが捩込まれ、ナットの捩込み量を変えることによって刃体間の圧着力を調整できるようになっており、ボルトに捩込んだナットの緩み止めのために通常ワッシャーが用いられているが、ボルト７のネジ溝に圧着する環状又はＣ形状の腺バネを内臓させたものもある。こうしたナットを製造する際には、冷間鍛造により所定形状のナット素材を成形する工程と、ナット素材にネジ用の孔を形成する工程と、ネジ用の孔にネジ溝を切る工程が必要であり、またナットの緩み止めのためには上述するように、ワッシャーを必要とし、また線バネを内臓させたものは、構造が複雑となる嫌いがある。
【０００４】
上記の問題を解決するために下記特許文献１には、２分割した分割片を組合せて、その周溝に環状又はＣ形状の腺バネよりなるリングを強制嵌合することにより一体的に束ねて連結した割りナットが提案されている。
【特許文献１】実開昭６４−２５５２０号
【発明の開示】
【発明が解決しようとする課題】
【０００５】
上述の特許文献１に開示される割りナットは、分割片を組合せて周溝に環状又はＣ形状のリングを強制嵌合させて一体的に束ねて連結する作業が必要であるものゝ、各分割片はダイカストや冷間鍛造により形成することができ、成形時にネジ溝も形成することができるので製造が簡単となり、コストの低下をもたらすが、分割片を組合わせて周溝にリングを強制嵌合させるのは容易でなく、とくに理髪用鋏のボルトを止着するナットのように小型のものでは、リングのサイズも小さいうえ、剛性も比較的大きいことから余計に困難であり、しかも理髪用鋏に使用する場合、ナットは刃体の平坦部から突出するが、突出量は小さいほうが望まれる。外観上から好ましく、また整髪時等に頭髪がナットに纏い付いて引掛かりことがなくなるからである。
【０００６】
本発明は、上記の問題を解消し、分割片を組合せて周溝にリングを強制嵌合させて一体的に束ねる作業が容易に行えるようにすると共に、刃体からの突出量を少なくすることができる理髪用鋏のナットを提供することを目的とする。
【課題を解決するための手段】
【０００７】
請求項１に係る発明は、指環部を備えた一対の刃体を平坦部を備えた基部で基部同士をボルトにより回動自在に軸着し、その先端にワッシャーを介し、或いは介さないでナットを捩込んで締着してなる理髪用鋏の上記ナットにおいて、複数に分割され、環状又はＣ形状のリングを強制嵌合することによって一体的に束ねて連結される割りナットであって、上記刃体の基部側が小径の段付き状をなして、上記リングが強制嵌合されることを特徴とし、
請求項２に係る発明は、請求項１に係る発明において、上記ナットをボルト先端部に捩込んで締着したときリングが上記刃体の基部に直接或いはワッシャーを介して圧着されることを特徴とする。
【０００８】
請求項３に係る発明は、請求項１又は２に係る発明のナットにおいて、リングの嵌合する小径部に断面が円弧をなす周溝が形成されることを特徴とする。
【０００９】
本発明における断面が円弧をなす周溝は、ダイカストや冷間鍛造によって形成することもできるし、切削加工によって形成することもでき、またリングを強制嵌合後、小径部端をかしめ付けすることによって形成することもできる。
【００１０】
請求項４に係る発明は、請求項１ないし３に係る発明において、一対の刃体のうちの一方には、ナットが嵌合する凹溝が形成されることを特徴とする。
【発明の効果】
【００１１】
請求項１に係る発明によると、環状又はＣ形状のリングは、ナットの小径部から強制嵌合されるから、前記特許文献１に開示されるような外周の周溝に強制嵌合するのと比べ、装着が容易にできること、ナットの基本形態は断面凸形をなし、リングの受けは片側にしかないから、ナットの高さを低くすることができ、したがって刃体からのナットの突出量も小さくなり、理髪用鋏の外観が向上すると共に、整髪時等に頭髪がナットに纏い付いて引掛かることが少なくなる。
【００１２】
請求項２に係る発明によると、リングはナットの小径部と刃体の基部で挟持して固定される。
【００１３】
請求項３に係る発明によると、装着したリングの脱落を防止することができ、リングを装着した状態でのナットのボルトへの取付けが容易となる。
【００１４】
請求項４に係る発明によると、ナットの刃体からの突出量を少なくするか、或いはなくすことができ、これにより理髪用鋏の外観がより一層向上すると共に、頭髪がナットに纏い付いて引掛かるのをなくすことができる。
【発明を実施するための最良の形態】
【００１５】
図２は、理髪用鋏の基部構造を示すもので、一対の刃体１１、１２が基部においてボルト１３にて回動自在に軸着され、先端の突出端部に捩込まれる割りナット１４で締着されている。割りナット１４は、刃体１２の基部側が小径の段付状なし、分割片を束ねた小径部１４ａに線バネよりなるＣリング１５が強制嵌合されて一体的に連結されている。
【００１６】
図３は、割りナットの別の例を示すもので、断面が円弧をなす周溝にＣリング１７を装着した割りナット１８を示すものである。この割りナットは、例えば図４に示すような割りナット素材１９の小径部１９ａにＣリング１５を強制嵌合後、周縁のリブ２２をかしめ付けすることにより得ることができる。
【００１７】
図５は、理髪用鋏の基部構造の別の例を示すもので、一対の刃体２４、２５のうちの一方２４に鍔付きベアリング２６が装着されると共に、他方２５に凹溝２７が形成され、ボルト２８がベアリング２６及び刃体２５を軸支して凹溝内に突出する先端部に凸形断面の割りナット２９が装着され、装着した状態で割りナット２９は刃体２５と面一をなし、刃体２５より突出しないようにしてある。割りナット２９は、断面が凸形をなして小径部２９ａにＣリング３１を装着し、上面周縁の対称位置にはフォーク上の工具を差込んで割りナット２９を回動操作するための切欠き３２が形成されている。
【００１８】
図６に示す基部構造は、図５に示す基部構造の変形態様を示すもので、Ｃリング３１が割りナット３４の断面が円弧をなす周溝に装着されている。
【産業上の利用可能性】
【００１９】
本発明のナットは、理髪用鋏を構成する一対の刃体を回動自在に軸着するボルトを止着するのに用いられる。
【図面の簡単な説明】
【００２０】
【図１】理髪用鋏の平面図。
【図２】理髪用鋏の基部構造を示す拡大断面図。
【図３】割りナットの別の例を示す拡大断面図。
【図４】図３に示す割りナットを形成するための割りナット素材の拡大断面図。
【図５】理髪用鋏の基部構造の別の例を示す拡大断面図。
【図６】図５に示す基部構造の変形態様を示す拡大断面図。
【符号の説明】
【００２１】
１、２・・指環部
３、４、１１、１２、２４、２５・・刃体
５、６・・基部
７、１３、２８・・ボルト
１４、１８、２９、３４・・割りナット
１５、１７、３１・・Ｃリング
１９・・割りナット素材
２２・・リブ
３２・・切欠き
【図１】
2005319072.tif 000003
【図２】
2005319072.tif 000004
【図３】
2005319072.tif 000005
【図４】
2005319072.tif 000006
【図５】
2005319072.tif 000007
【図６】
2005319072.tif 000008